(57)【要約】【課題】容易に無線タグのタグ情報を異なるキーで暗号化及び復号化することを目的とする。【解決手段】無線タグ装置３０は、アンテナ部４０とリーダ・ライタ部５０とを別体に構成し、アンテナ部４０の接続端子４３と、リーダ・ライタ部５０の接続端子５１ａと、を電気的に接続可能に構成する。このアンテナ部４０に内蔵したメモリ部４２に、タグ情報を暗号化及び復号化するためのキーデータを記録する。【選択図】図１
2007096457.tif 000002
【特許請求の範囲】
【請求項１】
無線タグとの間で電波を送受信するアンテナ部であって、前記無線タグに記録すべきタグ情報を暗号化及び復号化するためのキーデータを記録したキーデータ記録部を備えたアンテナ部と、
前記アンテナ部が受信した電波に基づく電気信号により前記無線タグに記録されたタグ情報を読み取るリーダ部と、を備え、
前記アンテナ部と前記リーダ部とは別体に構成され、電気的に接続される、
ことを特徴とする無線タグ装置。
【請求項２】
無線タグとの間で電波を送受信する無線タグ装置用アンテナであって、前記無線タグに記録するタグ情報を暗号化及び復号化するためのキーデータを記録したキーデータ記録部を備えた無線タグ装置用アンテナに電気的に接続するためのリーダ側接続部と、
前記アンテナ部が受信した電波に基づく電気信号により前記無線タグに記録されたタグ情報を読み取るリーダ部と、
を備えたことを特徴とする無線タグ装置。
【請求項３】
前記リーダ部は、前記タグ情報を前記キーデータに基づいて暗号化し、かつ、前記アンテナ部が受信した電波に基づく電気信号を前記キーデータに基づいて復号化する暗号化・復号化演算部を備える、
ことを特徴とする請求項１又は２に記載の無線タグ装置。
【請求項４】
前記キーデータは、前記無線タグ装置に接続されたコンピュータ装置により書き込まれる、
ことを特徴とする請求項１乃至３の何れか一つに記載の無線タグ装置。
【請求項５】
無線タグとの間で電波を送受信するアンテナ部と、
前記無線タグに記録するタグ情報を暗号化及び復号化するためのキーデータを記録したキーデータ記録部と、
前記無線タグに記録されたタグ情報を読み取る無線タグ装置に電気的に接続するためのアンテナ側接続部と、
を備えたことを特徴とする無線タグ装置用アンテナ。
【請求項６】
無線タグと、該無線タグとの間で前記無線タグに記録されたタグ情報を送受信する無線タグ装置と、を備えた無線タグ通信システムであって、
前記無線タグ装置は、
前記無線タグとの間で電波を送受信するアンテナ部であって、前記無線タグに記録すべき前記タグ情報を暗号化し、かつ前記無線タグから受信した暗号化された前記タグ情報を復号化するためのキーデータを記録したキーデータ記録部を備えたアンテナ部と、
前記アンテナ部が受信した電波に基づく電気信号により前記無線タグに記録されたタグ情報を読み取るリーダ部であって、前記アンテナ部とは別体に構成されて電気的に接続されるリーダ部と、を備え、
前記無線タグは、
前記キーデータを用いて暗号化されたタグ情報を記録する記録部と、
前記無線タグ装置との間で電波を送受信して無線通信を行う通信部と、を備える、
ことを特徴とする無線タグ通信システム。
【発明の詳細な説明】
【技術分野】
【０００１】
本発明は、無線タグ装置、無線タグ装置用アンテナ、及び無線タグ通信システムに係り、特に第三者の無線傍受によるタグ情報の流出を防止する技術に関する。
【背景技術】
【０００２】
外部通信装置との間で無線通信を行うことにより、タグ情報を送受信する無線タグ（Radio Frequency Identification Tag）では、無線タグ装置との間で無線通信を行う際にタグ情報を読み取られる危険性がある。この危険性に対し、タグ情報を暗号化して送信する様々な技術がある。例えば特許文献１には、複数のＩＣタグがある場合に、第１のＩＣタグ１内に記録されるデータを第２のＩＣタグ２に記録されたデータを用いて暗号化及び復号化することにより、タグ情報を隠蔽する技術が開示されている。特許文献２には、非接触ＩＣタグに固有のＩＤを用いた暗号化及び復号化技術が開示されている。特許文献３には、タグに格納されている情報を許可された範囲でのみ読取れるようにする技術が開示されている。また、特許文献４には、商品に添付された非接触識別タグが取り外されたことを検知すると該非接触識別タグの機能を変更することにより非接触識別タグへのアクセスに対するセキュリティーを強化する技術が開示されている。
【特許文献１】特開２００５−９２６２５号公報
【特許文献２】特開２００５−１００２０５号公報
【特許文献３】特開２００５−１３５２５１号公報
【特許文献４】特開２００５−１６５６２１号公報
【発明の開示】
【発明が解決しようとする課題】
【０００３】
生産工場などで製品の製造履歴を無線タグに書き込む際には、無線タグを添付した物品が順次一の作業現場に送られる。このとき、無線タグ毎に異なる種類のキーを用いてタグ情報を暗号化及び復号化するためには、その都度無線タグ装置に格納されたキーを変更する必要があり、手間がかかるという問題がある。
【０００４】
本発明は、上記問題に鑑みてなされたものであり、容易に無線タグのタグ情報を異なるキーで暗号化及び復号化することを目的とする。
【課題を解決するための手段】
【０００５】
上記目的を達成するために、本発明に係る無線タグ装置は、無線タグとの間で電波を送受信するアンテナ部であって、前記無線タグに記録すべきタグ情報を暗号化及び復号化するためのキーデータを記録したキーデータ記録部を備えたアンテナ部と、前記アンテナ部が受信した電波に基づく電気信号により前記無線タグに記録されたタグ情報を読み取るリーダ部と、を備え、前記アンテナ部と前記リーダ部とは別体に構成され、電気的に接続される、ことを特徴とする。
【０００６】
これにより、タグ情報を暗号化したキーデータを記録した無線タグ装置を用いてタグ情報を受信しない限り、タグ情報を解読することができず、第三者により無線傍受されたとしてもタグ情報の流出を防ぐことができる。また、キーデータを記憶したアンテナ部の可搬性を向上させることができる。
【０００７】
また、本発明に係る無線タグ装置は、無線タグとの間で電波を送受信する無線タグ装置用アンテナであって、前記無線タグに記録するタグ情報を暗号化及び復号化するためのキーデータを記録したキーデータ記録部を備えた無線タグ装置用アンテナに電気的に接続するためのリーダ側接続部と、前記アンテナ部が受信した電波に基づく電気信号により前記無線タグに記録されたタグ情報を読み取るリーダ部と、を備えたことを特徴とする。
【０００８】
これにより、キーデータを記録したアンテナを取り替えることができ、異なるキーデータにより暗号化された無線タグのタグ情報を一の無線タグ装置により読み取ることができる。
【０００９】
また、前記リーダ部は、前記タグ情報を前記キーデータに基づいて暗号化し、かつ、前記アンテナ部が受信した電波に基づく電気信号を前記キーデータに基づいて復号化する暗号化・復号化演算部を備えてもよい。
【００１０】
これにより、無線タグ装置においてタグ情報の暗号化及び復号化をすることができる。
【００１１】
また、前記キーデータは、前記無線タグ装置に接続されたコンピュータ装置により書き込んでもよい。
【００１２】
これにより、キーデータをコンピュータ装置で管理することができる。
【００１３】
また、本発明に係る無線タグ装置用アンテナは、無線タグとの間で電波を送受信するアンテナ部と、前記無線タグに記録するタグ情報を暗号化及び復号化するためのキーデータを記録したキーデータ記録部と、前記無線タグに記録されたタグ情報を読み取る無線タグ装置に電気的に接続するためのアンテナ側接続部と、を備えたことを特徴とする。
【００１４】
これにより、異なる無線タグ装置に同一の無線タグ装置用アンテナを接続することができる。
【００１５】
また、本発明に係る無線タグ通信システムは、無線タグと、該無線タグとの間で前記無線タグに記録されたタグ情報を送受信する無線タグ装置と、を備えた無線タグ通信システムであって、前記無線タグ装置は、前記無線タグとの間で電波を送受信するアンテナ部であって、前記無線タグに記録すべき前記タグ情報を暗号化し、かつ前記無線タグから受信した暗号化された前記タグ情報を復号化するためのキーデータを記録したキーデータ記録部を備えたアンテナ部と、前記アンテナ部が受信した電波に基づく電気信号により前記無線タグに記録されたタグ情報を読み取るリーダ部であって、前記アンテナ部とは別体に構成されて電気的に接続されるリーダ部と、を備え、前記無線タグは、前記キーデータを用いて暗号化されたタグ情報を記録する記録部と、前記無線タグ装置との間で電波を送受信して無線通信を行う通信部と、を備える、ことを特徴とする。
【００１６】
これにより、タグ情報を暗号化したキーデータを記録した無線タグ装置を用いてタグ情報を受信しない限り、タグ情報を解読することができず、第三者により無線傍受されたとしてもタグ情報の流出を防ぐことができる。
【発明の効果】
【００１７】
本発明によれば、容易に無線タグのタグ情報を異なるキーで暗号化及び復号化することができる。
【発明を実施するための最良の形態】
【００１８】
以下添付図面に従って本発明に係る無線タグ装置、無線タグ装置用アンテナ、及び無線タグ通信システムの好ましい実施の形態について詳説する。
【００１９】
＜第一実施形態＞
［システムの概略構成］
図１は、本発明に係る無線タグ通信システム１の全体構成を示す概念図である。本実施形態に係る無線タグ通信システム１は、カメラ１０に貼付された無線タグ２０と、無線タグ２０のタグ情報の書き込み及び読み取りを行う無線タグ装置３０と、無線タグ装置３０に接続され、暗号化及び復号化を行うためのキーコードを入力するコンピュータ装置６０とを備える。無線タグ装置３０とコンピュータ装置６０とは、ＬＡＮを介して接続しても良い。
【００２０】
無線タグ装置３０は、無縁タグ２０と電波の送受信を行うアンテナ部４０と、無線タグ２０にタグ情報を書き込んだり、アンテナ部４０が受信した電波に基づく電気信号によりタグ情報を読み取ったりするリーダ・ライタ部５０と、を備える。本実施形態にかかる無線タグ装置３０は、アンテナ部４０とリーダ・ライタ部５０とを別体に構成し、アンテナ部４０の接続端子４３と、リーダ・ライタ部５０の接続端子５１ａと、を電気的に接続可能に構成するが、アンテナ部４０とリーダ・ライタ部５０とを一体に構成しても良い。アンテナ部４０の大きさは、無線タグ２０との送受信を行う距離（電波の出力）及び指向性に依存するが、近距離であれば公知のバーコードリーダ程度の大きさで構成される。
【００２１】
次に図２に基づいて、無線タグ通信システム１の構成について説明する。図２は、無線タグ通信システム１の機能を説明するためのブロック図である。
【００２２】
無線タグ２０は、その無線タグ２０を固有に識別するためのＩＤ情報と、ユーザが所望する情報とを記録するメモリ部２１と、無線タグ２０の動作を制御する制御部２２と、制御部２２がメモリ部２１から読み取ったデジタル信号をアナログ信号に変換するための変調部２３と、無線タグ２０のアンテナ２５が受信した電波をアナログ信号からデジタル信号に変換するための復調部２４と、無線タグ２０を駆動するための電力を生成する電源生成部２６とを備える。無線タグ２０がアクティブ型である場合には、電源生成部２６は、電池を内蔵して構成し、パッシブ型である場合には、アンテナ２５が受信した電波の搬送波を電力として利用する機能を備えて構成される。上記メモリ部２１は、ＩＤ情報を記録するＩＤエリア２１ａとユーザが所望するタグ情報を記録するユーザエリア２１ｂとを備える。
【００２３】
無線タグ装置３０のアンテナ部４０は、無線タグ２０との間で電波の送受信を行うためのアンテナ４１と、無線タグ２０のタグ情報を暗号化及び復号化するためのキーコードを記録するためのメモリ部４２と、リーダ・ライタ部５０に接続するためのインターフェース（Ｉ／Ｆ）部４３と、を備える。リーダ・ライタ部５０に接続するためのインターフェース（Ｉ／Ｆ）部５１ａ及びＬＡＮやコンピュータ装置６０と接続するためのＩ／Ｆ部５１ｂと、Ｉ／Ｆ部５１ａを介して受信したアンテナ部４０からのアナログ信号を増幅するための受信増幅部５２と、アナログ信号をデジタル信号に変換するための復調部５３と、無線タグ２０に記録可能なタグ情報をコンピュータ装置６０が取り扱える情報に変換処理（プロトコル変換）したり、その逆の処理をしたりするデータ変換部５４と、アンテナ部４０からメモリ部４２に記録されたキーコードを取得して暗号化及び復号化処理を行う暗号化・復号化演算部５５と、データ変換部５４のデータをデジタル信号からアナログ信号に変換する変調部５６と、アナログ信号を無線通信するために増幅する送信増幅部５７と、リーダ・ライタ部５０の動作を制御する制御部５８と、無線タグ２０にタグ情報を書き込むための書込部５９を備える。これにより、コンピュータ装置６０においてキーコードを管理することができる。
【００２４】
［処理の流れ］
図３に基づいて処理の流れを説明する。図３は、無線タグ通信システム１の動作処理の流れを示すフローチャートであって、図３（ａ）は、暗号化処理を示すフローチャート、図３（ｂ）は、復号化処理を示すフローチャートである。
【００２５】
Ｓ１では、無線タグ装置３０の暗号化・復号化演算部５５は、メモリ部２１からキーコードを読み出す（Ｓ１）。
【００２６】
Ｓ２では、キーコードを基に暗号化・復号化部５５がタグ情報を暗号化する（Ｓ２）。無線タグ装置３０の制御部５８は、Ｉ／Ｆ部５１ｂを介して接続されたコンピュータ装置６０からタグ情報を受信し、暗号化・復号化演算部５５にそのタグ情報を送出する。暗号化・復号化演算部５５は、そのタグ情報をメモリ部４２から取得したキーコードを用いて暗号化する。
【００２７】
Ｓ３では、無線タグ装置３０が、書込部５９により無線タグ２０に暗号化されたタグ情報を書き込む（Ｓ３）。暗号化されたタグ情報は、無線タグ２０のメモリ部２１のユーザエリア２１ｂに書き込まれる。
【００２８】
次に、図３（ｂ）に基づいて復号化処理について説明する。
【００２９】
Ｓ４では、無線タグ装置３０の制御部５８が、アンテナ部４０に内蔵されたメモリ部４２に記録されたキーコードを読み込む（Ｓ４）。
【００３０】
Ｓ５では、無線タグ装置３０が無線タグ２０から無線タグ２０のメモリ部２１に記録され暗号化されたタグ情報を無線受信する（Ｓ５）。
【００３１】
Ｓ６では、暗号化・復号化演算部５５がＳ４で読み込んだキーコードを用いてＳ５のタグ情報を復号化する（Ｓ６）。
【００３２】
本実施の形態によれば、無線タグ２０と無線タグ装置３０との間で送受信されるタグ情報が暗号化されるため、無線傍受された場合にも第三者が解読することを防ぐことができる。また、暗号化及び復号化に使用されるキーコードを、アンテナ部４０のメモリ４２に記録させることにより、同機種、同機能を有するアンテナを備えた無線タグ装置３０であっても無線タグ２０のタグ情報の暗号化に使用されたアンテナでなければタグ情報を復号化することができず、第三者による解読をより防ぐことができる。また、リーダ・ライタ部５０と、アンテナ部４０とは分離可能であるため、アンテナ部４０の可搬性を向上させることができる。その結果、アンテナ部４０を他のリーダ・ライタ部５０に接続することにより、タグ情報の暗号化・及び復号化を行うことができる。
【００３３】
上記実施の形態では、Ｓ２においてタグ情報の暗号化を無線タグ装置３０の暗号化・復号化演算部５５が行ったが、暗号化・復号化演算部５５を実現するアプリケーションプログラムをコンピュータ装置６０にインストールし、コンピュータ装置６０でタグ情報を暗号化及び復号化してもよい。
【００３４】
この場合、Ｓ１で無線タグ装置３０の制御部５８がメモリ部４２から読み込んだキーコードをＩ／Ｆ部５１ｂを介してコンピュータ装置６０に出力する。コンピュータ装置６０は、インストールされた暗号化・復号化プログラムにより、無線タグ２０に書き込むべきタグ情報を暗号化する。暗号化されたタグ情報は、コンピュータ装置６０から無線タグ装置３０に出力される。無線タグ装置３０の制御部５８は、Ｉ／Ｆ部５１ｂを介して暗号化されたタグ情報を受信し、書込部５９がそのタグ情報を無線タグ２０に書き込む。これにより、暗号化されたタグ情報を無線タグ２０に書き込むことができる。復号化する場合には、無線タグ２０からアンテナ４１が受信した電波に基づく電気信号をＩ／Ｆ部５１ｂを介してコンピュータ装置６０に出力する。コンピュータ装置６０は、インストールされた暗号化・復号化プログラムにより、メモリ部４２に記録されたキーコードを用いて復号化を行う。これにより、タグ情報を復号化して解読することができる。
【００３５】
また、無線タグ２０にタグ情報を書き込む処理は、上記実施形態では書込部５９が行ったが、無線タグ２０の制御部２２が行っても良い。この場合、無線タグ装置３０の制御部は、無線タグ２０に書き込むべき暗号化されたタグ情報を変調部５６によりアナログ信号に変換し、送信増幅部５７がそのアナログ信号を電波で送信するために増幅する。増幅された信号は、Ｉ／Ｆ部５１ａ、Ｉ／Ｆ部４３を介してアンテナ４１から電波により無線タグ２０に送信される。無線タグ２０のアンテナ２５は、その電波を受信し、復調部２４がアナログ信号からデジタル信号に変換し、制御部２２がメモリ部２１のユーザエリア２１ｂに記録する。これにより、書込部５９によらずタグ情報を無線タグ２０に書き込むことができる。
【図面の簡単な説明】
【００３６】
【図１】無線タグ通信システム１の全体構成を示す概念図
【図２】無線タグ通信システム１の機能を説明するためのブロック図
【図３】無線タグ通信システム１の動作処理の流れを示すフローチャート
【符号の説明】
【００３７】
１：無線タグ通信システム１０：カメラ、２０：無線タグ、３０：無線タグ装置、４０：アンテナ部、５０：リーダ・ライタ部、６０：コンピュータ装置
【図１】
2007096457.tif 000003
【図２】
2007096457.tif 000004
【図３】
2007096457.tif 000005